(57)【要約】【課題】携帯端末において、フレキシブル基板に負荷がかからないようにして断線を防止する。【解決手段】第１の筐体２内の第１回路基板と第１の筐体２外の第２回路基板とをフレキシブル基板６で接続する。第１の筐体２のフレキ挿通孔１０に嵌合され、フレキ挿通孔１０とフレキシブル基板６との間を防水する防水グロメット１１を設ける。防水グロメット１１にフレキ挿通孔１０の内周に当接する筒状のグロメット本体１２を設け、グロメット本体１２の奥側端部にフレキシブル基板６が圧入されるフレキ保持部１３を連続させる。フレキ保持部１３とグロメット本体１２奥側端部との間に薄肉溝部１４を設ける。【選択図】図１
2014099962.tif 000002
【特許請求の範囲】
【請求項１】
回路基板を内蔵する筐体と、
上記回路基板と上記筐体外の電子部品とを接続するためのフレキシブル基板と、
上記筐体のフレキ挿通孔に嵌合され、該フレキ挿通孔と上記フレキシブル基板との間を防水する防水グロメットとを備え、
上記防水グロメットは、
上記フレキ挿通孔の内周に当接する筒状のグロメット本体と、
上記グロメット本体の奥側端部に連続し、上記フレキシブル基板が圧入されるフレキ保持部と、
上記フレキ保持部と上記グロメット本体奥側端部との間に形成された薄肉溝部とを備えている
ことを特徴とする携帯端末。
【請求項２】
請求項１に記載の携帯端末において、
上記グロメット本体の上記フレキ挿通孔内周に対応する部分には、枠状の補強材が該グロメット本体と一体に設けられている
ことを特徴とする携帯端末。
【請求項３】
請求項１に記載の携帯端末において、
上記グロメット本体の上記フレキ挿通孔内周に対応する部分には、枠状の金属製補強材が嵌め込まれ、
上記金属製補強材の内面には、上記フレキシブル基板の延びる方向に沿って該フレキシブル基板を挟み込むように少なくとも一対の突条が形成されている
ことを特徴とする携帯端末。
【発明の詳細な説明】
【技術分野】
【０００１】
本発明は、筐体外の電子部品に接続するフレキシブル基板を有する携帯端末に関し、特にそのフレキシブル基板を挿通するフレキ挿通孔周縁の防水構造に関するものである。
【背景技術】
【０００２】
従来より、樹脂やゴム等の弾性部材で形成された、肉盗みのない中実のグロメットにより、フレキシブル基板を防水する携帯端末は知られている（例えば、特許文献１参照）。
【先行技術文献】
【特許文献】
【０００３】
【特許文献１】特開２０１１−２５９０８１号公報
【発明の概要】
【発明が解決しようとする課題】
【０００４】
しかしながら、従来の携帯端末では、中実のグロメットによりフレキシブル基板を完全に固定しているので、フレキシブル基板が動く場合、固定された部分に応力が集中して損傷する場合があるという問題がある。
【０００５】
本発明は、かかる点に鑑みてなされたものであり、その目的とするところは、フレキシブル基板に負荷がかからないようにして断線を防止することにある。
【課題を解決するための手段】
【０００６】
上記の目的を達成するために、この発明では、フレキシブル基板を保持するフレキ保持部の柔軟性を高めた。
【０００７】
具体的には、第１の発明では、
回路基板を内蔵する筐体と、
上記回路基板と上記筐体外の電子部品とを接続するためのフレキシブル基板と、
上記筐体のフレキ挿通孔に嵌合され、該フレキ挿通孔と上記フレキシブル基板との間を防水する防水グロメットとを備え、
上記防水グロメットは、
上記フレキ挿通孔の内周に当接する筒状のグロメット本体と、
上記グロメット本体の奥側端部に連続し、上記フレキシブル基板が圧入されるフレキ保持部と、
上記フレキ保持部と上記グロメット本体奥側端部との間に形成された薄肉溝部とを備えている。
【０００８】
上記の構成によると、グロメット本体奥側端部とフレキ保持部との連結部の肉厚を薄肉溝部によって他の部分よりも薄くすることで、フレキシブル基板を保持する部分の柔軟性が高まる。このため、フレキシブル基板が引っ張られることがあってもフレキ保持部の周辺で応力が集中しにくくなり、フレキシブル基板の損傷が防止される。
【発明の効果】
【０００９】
以上説明したように、本発明によれば、フレキ保持部とグロメット本体奥側端部との間に薄肉溝部を形成したことにより、フレキシブル基板に負荷がかからないようにして断線を防止することができる。
【図面の簡単な説明】
【００１０】
【図１】図２（ｂ）のＩ−Ｉ線拡大断面図である。
【図２】本発明の実施形態に係る携帯電話機の閉じた状態を示し、（ａ）が斜視図で、（ｂ）が正面図である。
【図３】図２（ａ）の分解斜視図である。
【図４】防水グロメット及びフレキシブル基板を拡大して示す斜視図である。
【図５】防水グロメット及びフレキシブル基板を拡大して示し、（ａ）が正面図で、（ｂ）が（ａ）のVb−Vb線断面図である。
【図６】変形例に係る防水グロメット及びフレキシブル基板を拡大して示す斜視図である。
【図７】変形例に係る防水グロメット及びフレキシブル基板を拡大して示し、（ａ）が正面図で、（ｂ）が（ａ）のVIIb−VIIb線断面図である。
【発明を実施するための形態】
【００１１】
以下、本発明の実施形態を図面に基づいて説明する。
【００１２】
図２は、本発明の実施形態に係る携帯端末としての携帯電話機の閉じた状態を示し、（ａ）が斜視図で、（ｂ）が正面図である。図１は、図２（ｂ）のＩ−Ｉ線拡大断面図である。図３は、図２（ａ）の分解斜視図である。
【００１３】
本発明の実施形態の携帯電話機１は、例えば、表示部を内蔵する筐体としての第１の筐体２と操作部を有する第２の筐体３とがヒンジ部４を中心に折畳み開閉可能に連結されている。第１の筐体２内には、表示部等の制御を行う第１回路基板５（図３にのみ示す）が内蔵されている。図示しないが、第２の筐体３内には、携帯電話機１の全体を制御する第２回路基板（筐体外の電子部品）が内蔵されている。これら第１回路基板５と第２回路基板とがフレキシブル基板６で連結されている。フレキシブル基板６は、ヒンジ部４の右側に設けた貫通孔４ａ（図１にのみ示す）を通過している。第１の筐体２の背面側は、板状のリアカバー２ａで覆われている。第２の筐体３の背面は、背面側キャビネット３ａで覆われている。
【００１４】
第１の筐体２における、フレキシブル基板６が挿通する箇所には、矩形状のフレキ挿通孔１０が上下に貫通するように開口されている。このフレキ挿通孔１０には、フレキシブル基板６との間を防水する防水グロメット１１が嵌め込まれるようになっている。
【００１５】
図４は、防水グロメット１１及びフレキシブル基板６を拡大して示す斜視図であり、図５は、防水グロメット１１及びフレキシブル基板６を拡大して示し、（ａ）が正面図で（ｂ）が（ａ）のVb−Vb線断面図である。この防水グロメット１１は、フレキ挿通孔１０の内周に当接する、断面略矩形枠状の筒状のグロメット本体１２を備えている。グロメット本体１２は、例えばシリコンゴムなどの弾性体よりなる。
【００１６】
このグロメット本体１２の奥側端部には、フレキシブル基板６が挿通されるフレキ保持部１３が一体成形されている。このフレキ保持部１３は、中央にフレキシブル基板６が圧入するように挿通される角筒状の形状を有し、グロメット本体１２の奥側端部との連結側の肉が厚くなって補強されている。そして、フレキ保持部１３とグロメット本体１２奥側端部との間には、薄肉溝部１４が内面側及び外面側に環状に形成され、他の領域よりも肉厚が薄くなっている。フレキシブル基板６は、フレキ保持部１３に圧入されているので、フレキシブル基板６が引っ張られると、薄肉溝部１４周辺の薄肉部分がまず変形するようになっている。なお、この薄肉溝部１４は、フレキ保持部１３とグロメット本体１２の奥側端部との連結部の内面側又は外面側にのみ設けてもよい。
【００１７】
そして、グロメット本体１２のフレキ挿通孔１０内周に対応する部分には、枠状の補強材１５がグロメット本体１２と一体に設けられている。この補強材は、例えば、ポリカーボネイト樹脂又は金属よりなり、例えばインサート成形により、シリコンゴムと一体成形されている。
【００１８】
−実施形態の効果−
（１）本実施形態によると、グロメット本体１２奥側端部とフレキ保持部１３との間に薄肉溝部１４を設けて他の部分よりも肉厚を薄くすることで、フレキシブル基板６を保持する部分の柔軟性が高まる。このため、例えば第１の筐体２と第２の筐体３との折畳み開閉時にフレキシブル基板６が引っ張られることがあってもフレキ保持部１３の周辺で応力が集中しにくくなり、フレキシブル基板６の損傷が防止される。
【００１９】
（２）本実施形態では、グロメット本体１２のフレキ挿通孔１０内周に対応する部分には、枠状の補強材１５がグロメット本体１２と一体に設けられている。この枠状の補強材１５により、グロメット本体１２のフレキ挿通孔１０内周に対応する部分が補強されるので、グロメット本体１２を空洞にしながらも防水性を確保できる。補強材１５は一体成形なので、部品点数が減り組付が容易である。
【００２０】
したがって、本実施形態にかかる携帯電話機１によると、フレキ保持部１３とグロメット本体１２奥側端部との間に薄肉溝部１４を形成したことにより、フレキシブル基板６に負荷がかからないようにして断線を防止することができる。
【００２１】
−変形例−
図６は、本発明の実施形態の変形例に係る防水グロメット１１１及びフレキシブル基板６を拡大して示す斜視図であり、図７は、変形例に係る防水グロメット１１１及びフレキシブル基板６を拡大して示し、（ａ）が正面図で、（ｂ）が（ａ）のVIIb−VIIb線断面図である。本変形例では、金属製補強材１１５が異なる点で上記実施形態と異なる。なお、図１〜図５と同じ部分については同じ符号を付してその詳細な説明は省略する。
【００２２】
すなわち、本変形例の防水グロメット１１１におけるグロメット本体１１２のフレキ挿通孔１０内周に対応する部分には、枠状の金属製補強材１１５が嵌め込まれて接着されている。この金属製補強材１５の内面には、フレキシブル基板６の延びる方向に沿って、このフレキシブル基板６を挟み込むように少なくとも一対の突条１１７が形成されている。本変形例では、フレキシブル基板６の幅方向両端側を所定の隙間を空けて挟み込むように、二対の突条１１７が突設されている。本変形例では、金属製補強材１１５をグロメット本体１１２と別体で設けているので、突条１１７を設けることができる。上記実施形態のような一体成形では、型抜きの制約で突条１１７を設けるのは難しい。なお、この突条１１７は、フレキシブル基板６の幅方向中心を挟み込むように一対のみ設けてもよい。
【００２３】
この突条１１７を設けたことで、フレキシブル基板６が、その厚さ方向に撓もうとすると、フレキシブル基板６を覆うフレキ保持部１３が突条１１７に当接してその変形が阻止されるようになっている。
【００２４】
−変形例の効果−
（３）金属補強材１１５は、金属製なので、薄くても剛性を保ちやすい。また、突条１１７により、フレキ保持部１３の厚さ方向の変形を抑制できるので、薄肉溝部１４によってフレキ保持部１３の柔軟性をさらに高めることができる。
【００２５】
（その他の実施形態）
本発明は、上記実施形態について、以下のような構成としてもよい。
【００２６】
すなわち、上記実施形態では、第１の筐体２側にのみ防水グロメット１１，１１１を設けているが、第２の筐体３側にも設けてもよい。そして、第１の筐体２と第２の筐体３とがヒンジ部４で連結されている必要はなく、第１の筐体と第２の筐体とがスライド可能に連結されていてもよい。また、筐体外の電子部品は、第２の筐体内の第２回路基板ではなくてもよく、別の電子部品でもよい。
【００２７】
上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００２８】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００２９】
１      携帯電話機（携帯端末）
２      第１の筐体（筐体）
２ａ    リアカバー
３      第２の筐体（筐体外）
３ａ    背面側キャビネット
４      ヒンジ部
４ａ    貫通孔
５      第１回路基板（回路基板）
６      フレキシブル基板
１０      フレキ挿通孔
１１      防水グロメット
１２      グロメット本体
１３      フレキ保持部
１４      薄肉溝部
１５      補強材
１１１      防水グロメット
１１２      グロメット本体
１１５      金属製補強材
１１７      突条
【図１】
2014099962.tif 000003
【図２】
2014099962.tif 000004
【図３】
2014099962.tif 000005
【図４】
2014099962.tif 000006
【図５】
2014099962.tif 000007
【図６】
2014099962.tif 000008
【図７】
2014099962.tif 000009